(57)【特許請求の範囲】
【請求項１】
複数の無線ＵＳＢドングル３と、
ノートブックパソコン２と、
タブレットパソコン４と、
複数の平板式反射板アレイ６と、
複数の反射三角形体アレイ７と、
複数の引掛け式ボール面反射板アレイ８と、
前記複数の平板式反射板アレイ６、前記複数の反射三角形体アレイ７および前記複数の引掛け式ボール面反射板アレイ８のそれぞれに対応して設けられた複数の運動コントロール電子装置５と、
ＷＩＦＩ／無線／有線ネットワークメインコントロール装置１と、を備えるインテリジェント・アコースティック・コントロールシステムであって、
前記無線ＵＳＢドングル３は、マンマシン操作の前記ノートブックパソコン２および前記タブレットパソコン４に接続し、
前記ＷＩＦＩ／無線／有線ネットワークメインコントロール装置１は、ＷＩＦＩによる通信方式、無線ネットワークによる通信方式、および、有線ネットワークによる方式のうちから選択されるいずれかの通信方式によってマンマシン操作の前記ノートブックパソコン２、前記タブレットパソコン４、及び、複数の前記運動コントロール電子装置５に接続し、
前記ＷＩＦＩ／無線／有線ネットワークメインコントロール装置１は、前記ノートブックパソコン２或いは前記タブレットパソコン４が発信する複数の前記平板式反射板アレイ６、複数の前記反射三角形体アレイ７および複数の前記引掛け式ボール面反射板アレイ８に対する状態コントロールコマンドに呼応するのに用いられ、前記状態コントロールコマンドに基づき、対応する前記運動コントロール電子装置５をコントロールし、複数の前記平板式反射板アレイ、複数の前記反射三角形体アレイおよび複数の前記引掛け式ボール面反射板アレイの状態を集中コントロールする目的を達成し、並びに、複数の前記平板式反射板アレイ、複数の各前記反射三角形体アレイおよび複数の前記引掛け式ボール面反射板アレイの状態情報を前記ノートブックパソコン２および前記タブレットパソコン４にフィードバックし、
前記平板式反射板アレイ６は、サーボモータ或いはステッピングモータ６２、回転機械構造６３、回転アーム６４、平板式反射板６５、位置限定スイッチ６６、および、起点センサ６７を有し、
前記サーボモータ或いはステッピングモータ６２は、前記回転機械構造６３を介して前記回転アーム６４に接続され、前記回転アーム６４には前記平板式反射板６５が取り付けられ、
前記位置限定スイッチ６６と前記起点センサ６７とが前記平板式反射板６５の片側に設けられており、
前記起点センサ６７は、平板式反射板６５の始点の情報を運動コントロール電子装置５に送るものであり、
前記位置限定スイッチ６６は、システムの電源に直接接続され、前記平板式反射板６５の位置が制限を超えた場合に作動する安全保護装置であり、
前記平板式反射板アレイ６のそれぞれに対応して設けられた各前記運動コントロール電子装置５は、前記サーボモータ或いはステッピングモータ６２、前記位置限定スイッチ６６および前記起点センサ６７と接続し、前記サーボモータ或いはステッピングモータ６２の回転及び停止をコントロールし、
前記反射三角形体アレイ７は、サーボモータ或いはステッピングモータ７２、回転機械構造７３、反射三角形体７４、および、基準点センサ７５を有し、
前記サーボモータ或いはステッピングモータ７２は、前記回転機械構造７３を介して前記反射三角形体７４に接続され、
前記基準点センサ７５が前記反射三角形体７４の片側に設けられており、前記基準点センサ７５は、前記反射三角形体７４の始点の情報を運動コントロール電子装置５に送るものであり、
前記反射三角形体アレイ７のそれぞれに対応して設けられた各前記運動コントロール電子装置５は、前記サーボモータ或いはステッピングモータ７２および前記基準点センサ７５に接続し、前記サーボモータ或いはステッピングモータ７２の回転及び停止をコントロールし、
前記引掛け式ボール面反射板アレイ８は、サーボモータ或いはステッピングモータ８２、カウント・コーディング器８３、原点センサ８４、位置限定スイッチ８５、保護スイッチ８６、ワイヤロープ或いはチェーン８７、フロートボール８８、引掛け式ボール面反射板８９、および、回転機械構造８１０を有し、
前記フロートボール８８は、前記引掛け式ボール面反射板８９の上部に設けられ、前記フロートボール８８を介して前記引掛け式ボール面反射板８９は傾斜と高さが変更できるように中央ロープで天井から吊られており、さらに、前記引掛け式ボール面反射板８９は、その四隅が前記ワイヤロープ或いはチェーン８７にて吊られた状態に支持され、
前記サーボモータ或いはステッピングモータ８２は、前記回転機械構造８１０を介して前記ワイヤロープ或いはチェーン８７の上端に接続され、
前記カウント・コーディング器８３は、各前記ワイヤロープ或いはチェーン８７の高度情報を前記運動コントロール電子装置５に送るものであり、
前記原点センサ８４は各前記ワイヤロープ或いはチェーン８７に設けられた基準を検出して、各前記ワイヤロープ或いはチェーン８７の初期原点情報を前記運動コントロール電子装置５に送るものであり、
前記位置限定スイッチ８５は各前記ワイヤロープ或いはチェーン８７に設けられ、前記保護スイッチ８６は前記中央ロープに設けられ、前記位置限定スイッチ８５および前記保護スイッチ８６はシステムの電源に直接接続され、
前記位置限定スイッチ８５および前記保護スイッチ８６は各前記ワイヤロープ或いはチェーン８７および前記中央ロープの位置が制限を超えた場合に作動する安全保護装置であり、
前記引掛け式ボール面反射板アレイ８に対応して設けられた前記運動コントロール電子装置５は、前記サーボモータ或いはステッピングモータ８２、前記カウント・コーディング器８５、前記原点センサ８４、前記位置限定スイッチ８５、および、前記保護スイッチ８６に接続し、前記サーボモータ或いはステッピングモータ８２の回転及び停止をコントロールするものである
ことを特徴とするインテリジェント・アコースティック・コントロールシステム。
【請求項２】
請求項１に記載のインテリジェント・アコースティック・コントロールシステムにおいて、
前記平板式反射板の一面は反射材料層であり、もう一面は音吸収材料層である
ことを特徴とするインテリジェント・アコースティック・コントロールシステム。
【請求項３】
請求項１に記載のインテリジェント・アコースティック・コントロールシステムにおいて、
前記反射三角形体の三つの面は異なる音吸収係数材料層である
ことを特徴とするインテリジェント・アコースティック・コントロールシステム。
【請求項４】
請求項１に記載のインテリジェント・アコースティック・コントロールシステムにおいて、
前記引掛け式ボール面反射板の下部は反射材料層、上部は音吸収材料層である
ことを特徴とするインテリジェント・アコースティック・コントロールシステム。
【発明の詳細な説明】
【技術分野】
【０００１】
本発明は、インテリジェント・アコースティック・コントロールシステムに関する。
【背景技術】
【０００２】
演奏会場や室内の音響施設のある場所であるなら、専門的か多機能使用に拘わらず、残響を調節可能な装置を設置する必要がある。それは、それぞれの音楽作品によって最良となる残響時間等の音響指標の要求が異なるからである。各種タイプの音楽や演出、会議には最良の音響指標があるため、音響調節装置が必要である。現在、国内に音響調節装置を備えた演奏会場等の場所には、音響反射を人工調節する媒体を採用して音響を変化させているが、インテリジェント化されておらず、操作時間が長く、特定する音響の記憶体がなく、精確性に欠け、非常に繁雑である。
【０００３】
従来技術としては、非特許文献１の王曉東等（王曉東、閔一建、韓茂蔚、張婉▲てい▼、柴京京）による多機能音楽会場の設計及び音響特性の分析がある。
【０００４】
また、特許文献２の音響測量装置及び音響測量方法は、受話器部、計測ユニット、及び位置計算ユニットを含む。受話器部は、指定の間隔をあけて配列される第一受話器と第二受話器を含み、第一スピーカーと第二スピーカーから出力される音声信号を受信する。計測ユニットは、第一受話器と第二受話器から受信される音声信号に基づき第一スピーカーと第二スピーカー、及び第一受話器と第二受話器間の距離を測る。位置計算ユニットは、第一スピーカーによって基準位置とされた時、対象となる距離に基づいて第一受話器と第二受話器の位置及び第二スピーカーの位置を計測する。
【先行技術文献】
【特許文献】
【０００５】
【特許文献１】中国特許ＣＮ１９０１７６０Ｂ号明細書
【非特許文献】
【０００６】
【非特許文献１】峡西師範大学学報（自然科学版２０１１．０６）
【発明の概要】
【発明が解決しようとする課題】
【０００７】
本発明の目的は、各種音響の反射媒体を総合的にコントロールすることで、室内音響パラメータを変化させ、機電を一体化し、使用における敏捷性、精確性、実用性を高めるインテリジェント・アコースティック・コントロールシステムを提供することにある。
【課題を解決するための手段】
【０００８】
本発明のインテリジェント・アコースティック・コントロールシステムは、ＷＩＦＩ／無線／有線ネットワークメインコントロール装置、ノートブックパソコン、無線ＵＳＢドングル、タブレットパソコン、運動コントロール電子装置、及び反射媒体を備える。
【０００９】
ＷＩＦＩ／無線／有線ネットワークメインコントロール装置は、選択可能なＷＩＦＩ／無線／有線ネットワーク方式によってマンマシン操作機器のノートブックパソコン、タブレットパソコン及び複数の運動コントロール電子装置に接続する。無線ＵＳＢドングルは、選択可能な無線通信機器であり、マンマシン操作を用いたノートブックパソコン、タブレットパソコン、ＷＩＦＩ／無線／有線ネットワークメインコントロール装置等の機器に接続する。ＷＩＦＩ／無線／有線ネットワークメインコントロール装置は、ノートブックパソコン或いはタブレットパソコンが発信する反射媒体の状態コントロールコマンドに呼応するのに用いられる。コマンドに基づき、対応する運動コントロール電子装置をコントロールし、各反射媒体の状態を集中コントロールする目的を達成し、並びに各反射媒体の状態情報をフィードバックする。メインコントロールソフトはノートブックパソコン或いはタブレットパソコンにインストールすることで、複数場面の反射板状態情報を記憶することができ、並びに、場面の設置が便利に行え、良好な繰り返し使用できる。ＷＩＦＩ、無線、有線ネットワークは、選択できるシステム通信方式である。運動コントロール電子装置は、サーボモータ或いはステッピングモータ、伝動機構及びセンサによって反射媒体の回転角度、傾斜角度、高度を精確にコントロールし、室内音響を変化させる。
【００１０】
反射媒体は、平板式反射板アレイ、反射三角形体アレイ、引掛け式ボール面反射板アレイのうち、いずれか一つを採用する。
【００１１】
平板式反射板の一面は反射材料層であり、もう一面は音吸収材料層である。
【００１２】
反射三角形体の三つの面は異なる音吸収係数材料層である。
【００１３】
引掛け式ボール面反射板の下部は反射材料層、上部は音吸収材料層である。
【００１４】
本発明は、ＷＩＦＩ、無線、有線ネットワークシステム通信方式と機電コントロールを結合し、音響調節可能なコントロールに応用して精確な音響コントロールを実現し、調節後の各種異なる音響はパソコンコントロールによって元に戻すことができ、優れた繰り返し性を有し、操作は簡単で機敏性がある。
【図面の簡単な説明】
【００１５】
【図１】本発明の一実施形態によるインテリジェント・アコースティック・コントロールシステムの全体構造を示す図である。
【図２】本発明の一実施形態による平板式反射板アレイのコントロール構造図である。
【図３】本発明の一実施形態による反射三角形体アレイのコントロール構造図である。
【図４】本発明の一実施形態による引掛け式ボール面反射板アレイのコントロール構造図である。
【発明を実施するための形態】
【００１６】
次に、実施形態による本発明のインテリジェント・アコースティック・コントロールシステムについて、図面を参照して説明を行う。
【００１７】
（一実施形態）
図１に本発明の一実施形態によるインテリジェント・アコースティック・コントロールシステムの全体構造図を示す。図１は、ＷＩＦＩ／無線／有線ネットワークメインコントロール装置１、ノートブックパソコン２、無線ＵＳＢドングル３、タブレットパソコン４、運動コントロール電子装置５、平板式反射板アレイ６、反射三角形体アレイ７、引掛け式ボール面反射板アレイ８を含む。ＷＩＦＩ／無線／有線ネットワークメインコントロール装置１は、ＷＩＦＩ、無線、有線ネットワークを選択する方式を通して、マンマシン操作のノートブックパソコン２、タブレットパソコン４、複数の運動コントロール電子装置５等の機器に接続する。無線ＵＳＢドングル３は、選択可能な無線通信機器であり、マンマシン操作のノートブックパソコン２、タブレットパソコン４、メインコントロール装置１との接続に用いられる。
【００１８】
図２は本発明の一実施形態による平板式反射板アレイのコントロール構造図であり、サーボモータ或いはステッピングモータ６２、回転機械構造６３、回転アーム６４、平板式反射板６５、位置限定スイッチ６６、起点センサ６７を有する。図２の標記５は、運動コントロール電子装置である。
【００１９】
運動コントロール電子装置５は、サーボモータ或いはステッピングモータ６２、位置限定スイッチ６６、起点センサ６７と接続し、サーボモータ或いはステッピングモータ６２の回転及び停止をコントロールする。サーボモータ或いはステッピングモータ６２は、回転機械構造６３を介して回転アーム６４に接続され、回転機械構造６３は、サーボモータ或いはステッピングモータ６２及び平板式反射板６５に接続し、モータと変速機を直接駆動させてもよく、チェーンまたはギアによって駆動してもよい。サーボモータ或いはステッピングモータ６２は回転アーム６４に固定し、位置限定スイッチ６６と起点センサ６７は平板式反射板６５の片側に設ける。
【００２０】
起点センサ６７は、運動コントロール電子装置５に送られ平板式反射板６５に戻る、始点の情報である。また、位置限定スイッチ６６は、システムの電源に直接接続する安全保護装置である。
【００２１】
図３は本発明の一実施形態による反射三角形体アレイのコントロール構造図であり、サーボモータ或いはステッピングモータ７２、回転機械構造７３、反射三角形体７４、基準点センサ７５を含む。図３の標記５は運動コントロール電子装置である。
【００２２】
運動コントロール電子装置５は、サーボモータ或いはステッピングモータ７２、基準点センサ７５に接続し、サーボモータ或いはステッピングモータ７２の回転及び停止をコントロールする。回転機械構造７３は、サーボモータ或いはステッピングモータ７２及び反射三角形体７４に隣り合い、モータ及び変速機を用いて直接駆動してもよいし、チェーン或いはギアによって駆動してもよい。基準点センサ７５は反射三角形体７４の片側に設ける。
【００２３】
図４は本発明の一実施形態による引掛け式ボール面反射板アレイのコントロール構造図であり、サーボモータ或いはステッピングモータ８２、カウント・コーディング器８３、原点センサ８４、位置限定スイッチ８５、保護スイッチ８６、ワイヤロープ／チェーン８７、フロートボール８８、引掛け式ボール面反射板８９、回転機械構造８１０を有する。また、図４の標記５は運動コントロール電子装置である。
【００２４】
運動コントロール電子装置５は、サーボモータ或いはステッピングモータ８２、カウント・コーディング器８３、原点センサ８４、位置限定スイッチ８５、保護スイッチ８６に接続し、サーボモータ或いはステッピングモータ８２の回転及び停止をコントロールする。サーボモータ或いはステッピングモータ８２は、回転機械構造８１０をワイヤロープ或いはチェーン８７の上端に設けることにより、ワイヤロープ或いはチェーン８７の上端と引掛け式ボール面反射板８９の上表面を接続する。フロートボール８８は、引掛け式ボール面反射板８９の上部に設ける。
【００２５】
カウント・コーディング器８３は運動コントロール電子装置５に向けられ、引掛け式ボール面反射板８９にリターンされる高度情報である。
【００２６】
原点センサ８４は運動コントロール電子装置５に向けられ引掛け式ボール面反射板８９にリターンされる初期原点情報である。
【００２７】
位置限定スイッチ８５、保護スイッチ８６はシステムの電源に直接接続される安全保護装置である。
【符号の説明】
【００２８】
１      ＷＩＦＩ／無線／有線ネットワークメインコントロール装置
２      ノートブックパソコン
３      無線ＵＳＢドングル
４      タブレットパソコン
５      運動コントロール電子装置
６      平板式反射板アレイ
６２    サーボモータ或いはステッピングモータ
６３    回転機械構造
６４    回転アーム
６５    平板式反射板
６６    位置限定スイッチ
６７    起点センサ
７      反射三角形体アレイ
７２    サーボモータ或いはステッピングモータ
７３    回転機械構造
７４    反射三角形体
７５    基準点センサ
８      引掛け式ボール面反射板アレイ
８２    サーボモータ或いはステッピングモータ
８３    カウント・コーディング器
８４    原点センサ
８５    位置限定スイッチ
８６    保護スイッチ
８７    ワイヤロープ／チェーン
８８    フロートボール
８９    引掛け式ボール面反射板
８１０  回転機械構造
【図１】
0006271761.tif 000002
【図２】
0006271761.tif 000003
【図３】
0006271761.tif 000004
【図４】
0006271761.tif 000005